(57)【要約】【課題】スリット等による隙間が生ずることがなく、化粧箱としても十分に利用可能な意匠性の高い収納箱を提供する。【解決手段】収納箱を、前板1aと後板1bと左右の側板1c，1cと下方側の底板1dとからなり上端に長方形状の開口部1eを有する直方体状の胴部１と、蓋板２と、蓋板２の後板1bの上縁1baと反対側に位置する端縁2aに連設されておりその左右の側方に後板1bの上縁1baと平行に切込み3aが設けられていて切込み3aより蓋板２と反対側が表面側に僅かに折られている折曲部3bが設けられている差込フラップ３と、側方側内フラップ４，４と、前方側折込片５とから構成させると共に、開封用のミシン目６，６の下端間を結ぶ折り目７を前板1a上に形成させ、差し込まれた差込フラップ３の前記折曲部3bの蓋板側端縁3baが、折り込まれた前方側折込片５の前板1aの上縁1aaと反対側に位置する端縁5aに係止されて封緘されるようにする。【選択図】図１
2015202868.tif 000002
【特許請求の範囲】
【請求項１】
前板(1a)と後板(1b)と左右の側板(1c，1c)と下方側の底板(1d)とからなり上端に長方形状の開口部(1e)を有する直方体状の胴部(１)と、該後板(1b)の上縁(1ba)に連設された蓋板(２)と、該蓋板(２)の該後板(1b)の上縁(1ba)と反対側に位置する端縁(2a)に連設されておりその左右の側方に該後板(1b)の上縁(1ba)と平行に切込み(3a)が設けられていて該切込み(3a)より該蓋板(２)と反対側が表面側に僅かに折られている折曲部(3b)が設けられている差込フラップ(３)と、左右の側板(1c，1c)の上縁(1ca，1ca)にそれぞれ連設された側方側内フラップ(４，４)と、前板(1a)の上縁(1aa)に連設された前方側折込片(５)とからなり、該胴部(１)の開口部(1e)内に該前方側折込片(５)を折り込んだ後に該側方側内フラップ(４)を折り曲げて、折り込んだ前方側折込片(５)と側方側内フラップ(４)の前板側の側縁(4a)との間に差込フラップ(３)を差し込んで封緘する収納箱であって、
前板(1a)の上部の左右の側端にそれぞれ開封用のミシン目(６、６)が形成されていると共に、該開封用のミシン目(６、６)の下端間を結ぶ折り目(７)が前板(1a)上に形成されていて、差し込まれた差込フラップ(３)の前記折曲部(3b)の蓋板側端縁(3ba)が、折り込まれた前方側折込片(５)の前板(1a)の上縁(1aa)と反対側に位置する端縁(5a)に係止されて封緘されることを特徴とする収納箱。
【発明の詳細な説明】
【技術分野】
【０００１】
本発明は、封緘すると蓋板が開封不能にロックされる収納箱に関するものである。
【背景技術】
【０００２】
一般に、封緘すると蓋板が開封不能にロックされる収納箱としては、前板と後板と左右の側板と下方側の底板とからなり上端に長方形状の開口部を有する直方体状の胴部と、後板の上縁に連設された蓋板と、蓋板の後板の上縁と反対側に位置する端縁の略中央に連設されており両側に端縁と平行に切り込みが設けられている差込フラップと、左右の側板の上縁にそれぞれ連設された側方側内フラップと、前板の上縁に連設された前方側内フラップ等から構成されている収納箱があり、前板と前方側内フラップとの折り目近傍にスリットを設けると共に、このスリットに差込フラップを差し込むと両側に設けられている切り込みが前方側内フラップに係止されて蓋板が開封不能にロックされる構造のものがある。
【０００３】
このような構造において、蓋板を確実に開封不能にロックさせるために、弧状のスリット（弧状切目）を設けると共に、蓋板（蓋片）と差込フラップ（差込片）との間の左右の側方に切込み（切目）を設けることで、差込フラップ（差込片）を弧状のスリット（弧状切目）から抜け難くした収納箱（例えば、特許文献１参照。）や、湾曲乃至屈曲した形状のスリット（切込み部）などを使用することで、より確実に蓋板がロックされるようにした収納箱がある（例えば、特許文献２参照。）。
【０００４】
このような収納箱の場合、差込フラップが差し込まれるスリット部分にはどうしても隙間が生じ易く、しっかりと封緘することが困難な上に、その隙間により大きく意匠性が損なわれたり、差込フラップは蓋体の後板の上縁と反対側に位置する端縁の全長に比べて短いものが多く（例えば、特許文献１，２参照。）、前板と前方側内フラップとの間に部分的に形成されたスリットや、それに差し込まれる差込フラップが目立つために、化粧箱としての使用が難しいものが多い。
【０００５】
また蓋板と差込フラップとの折り目近傍にスリットを設け、前方側内フラップを差し込む態様のものは、スリットによって隙間ができる等の問題が生ずることにはかわりがない。
【先行技術文献】
【特許文献】
【０００６】
【特許文献１】実公昭３９−２６６６１号公報
【特許文献２】特開２０１１−１４８５００号公報
【発明の概要】
【発明が解決しようとする課題】
【０００７】
本発明は前記の問題に鑑み、スリット等による隙間が生ずることがないために意匠性が高く、化粧箱としても十分に利用可能な収納箱を提供することを課題とする。
【課題を解決するための手段】
【０００８】
本発明者らは前記課題を解決すべく鋭意検討した結果、収納箱を、前板と後板と左右の側板と下方側の底板とからなり上端に長方形状の開口部を有する直方体状の胴部と、後板の上縁に連設された蓋板と、蓋板の後板の上縁と反対側に位置する端縁に連設されておりその左右の側方に後板の上縁と平行に切込みが設けられていて切込みより蓋板と反対側が表面側に僅かに折られている折曲部が設けられている差込フラップと、左右の側板の上縁にそれぞれ連設された側方側内フラップと、前板の上縁に連設された前方側折込片とから構成させ、胴部の開口部内に前方側折込片を折り込んだ後に側方側内フラップを折り曲げて、折り込んだ前方側折込片と側方側内フラップの前板側の側縁との間に、差込フラップを差し込んで、差し込まれた差込フラップの前記折曲部の蓋板側端縁が、折り込まれた前方側折込片の前板の上縁と反対側に位置する端縁に係止されて封緘されるようにすれば、差込フラップを差し込むためのスリットがないので、その隙間等により大きく意匠性を損うこともなく、化粧箱等としても十分に利用可能な収納箱とすることができ、また前板の上部の左右の側端にそれぞれ開封用のミシン目を形成させると共に、開封用のミシン目の下端間を結ぶ折り目を前板上に形成させれば、ミシン目を切断して、前板上部を折り目に沿って外側に折り曲げるだけで、封緘された収納箱を容易に開封することができることを究明して本発明を完成したのである。
【０００９】
即ち本発明は、前板と後板と左右の側板と下方側の底板とからなり上端に長方形状の開口部を有する直方体状の胴部と、後板の上縁に連設された蓋板と、蓋板の後板の上縁と反対側に位置する端縁に連設されておりその左右の側方に後板の上縁と平行に切込みが設けられていて切込みより蓋板と反対側が表面側に僅かに折られている折曲部が設けられている差込フラップと、左右の側板の上縁にそれぞれ連設された側方側内フラップと、前板の上縁に連設された前方側折込片とからなり、胴部の開口部内に前方側折込片を折り込んだ後に側方側内フラップを折り曲げて、折り込んだ前方側折込片と側方側内フラップの前板側の側縁との間に、差込フラップを差し込んで封緘する収納箱であって、
前板の上部の左右の側端にそれぞれ開封用のミシン目が形成されていると共に、開封用のミシン目の下端間を結ぶ折り目が前板上に形成されていて、差し込まれた差込フラップの前記折曲部の蓋板側端縁が、折り込まれた前方側折込片の前板の上縁と反対側に位置する端縁に係止されて封緘されることを特徴とする収納箱である。
【発明の効果】
【００１０】
本発明に係る収納箱は、前板と後板と左右の側板と下方側の底板とからなり上端に長方形状の開口部を有する直方体状の胴部と、後板の上縁に連設された蓋板と、蓋板の後板の上縁と反対側に位置する端縁に連設されておりその左右の側方に後板の上縁と平行に切込みが設けられていて切込みより蓋板と反対側が表面側に僅かに折られている折曲部が設けられている差込フラップと、左右の側板の上縁にそれぞれ連設された側方側内フラップと、前板の上縁に連設された前方側折込片とからなり、胴部の開口部内に前方側折込片を折り込んだ後に側方側内フラップを折り曲げて、折り込んだ前方側折込片と側方側内フラップの前板側の側縁との間に差込フラップを差し込んで、差し込まれた差込フラップの前記折曲部の蓋板側端縁が、折り込まれた前方側折込片の前板の上縁と反対側に位置する端縁に係止されて封緘されるから、差込フラップを差し込むためのスリットがないので、その隙間等により大きく意匠性が損なわれることもなく、化粧箱としても十分に利用可能な収納箱とすることができ、また前板の上部の左右の側端にそれぞれ開封用のミシン目が形成されていると共に、開封用のミシン目の下端間を結ぶ折り目が前板上に形成されているから、ミシン目を切断して、前板上部を折り目に沿って外側に折り曲げるだけで、封緘された収納箱を容易に開封することができるのである。
【図面の簡単な説明】
【００１１】
【図１】本発明に係る収納箱の一実施例を示す斜視図である。
【図２】図１に示す収納箱において、胴部の開口部内に前方側折込片を折り込んだ後に側方側内フラップを折り曲げた状態を示す斜視図である。
【図３】図１に示す収納箱を封緘した状態を示す斜視図である。
【図４】右側の側板及び側方側内フラップを取り除いた状態で、差込フラップの折曲部と前方側折込片とが係止される状態を説明するための部分拡大右側面図である。
【図５】前板と前方側折込片との折り目近傍に、小形の差込フラップを差し込むためのスリットが形成されている従来型の収納箱である。
【発明を実施するための形態】
【００１２】
以下、図面を用いて本発明に係る収納箱について詳細に説明する。
【００１３】
１は前板1aと後板1bと左右の側板1c，1cと下方側の底板1dとからなり上端に長方形状の開口部1eを有する直方体状の胴部である。
【００１４】
２は後板1bの上縁1baに連設された蓋板であり、３は蓋板２の後板1bの上縁1baと反対側に位置する端縁2aに連設されておりその左右の側方に後板1bの上縁1baと平行に切込み3aが設けられていて切込み3aより蓋板２と反対側が表面側に僅かに折られている折曲部3bが設けられている差込フラップである。
【００１５】
４は左右の側板1c，1cの上縁1ca，1caにそれぞれ連設された側方側内フラップであり、５は前板1aの上縁1aaに連設された前方側折込片である。なお本発明に係る収納箱では、胴部１の開口部1e内に前方側折込片５を折り込んだ後に側方側内フラップ４，４を折り曲げて、折り込んだ前方側折込片５と側方側内フラップ４，４の前板側の側縁4a，4aとの間に、差込フラップ３を差し込んで封緘される。具体的には、差し込まれた差込フラップ３の前記折曲部3b，3bの蓋板側端縁3ba，3baが、折り込まれた前方側折込片５の前板1aの上縁1aaと反対側に位置する端縁5aに係止されて封緘されるのである（図４(III)）。
【００１６】
６は前板1aの上部の左右の側端にそれぞれ形成されている開封用のミシン目であり、７は開封用のミシン目６，６の下端間を結ぶ折り目であり、前板1a上に形成されている。このミシン目６，６を破断して折り目７で前板1aを外側へと折り曲げるようにすることで開封することが可能となるのである。
【００１７】
このような本発明に係る収納箱を封緘するには、先ず本発明に係る収納箱を、図１のように胴部１の開口部1eを開口させた状態で胴部１の開口部1e内に前方側折込片５を折り込んだ後に内包物を収納し、側方側内フラップ４，４を折り曲げて図２又は図４(I)のような状態にする。
【００１８】
次に折り込んだ前方側折込片５と側方側内フラップ４，４の前板側の側縁4a，4aとの間に、差込フラップ３を差し込み（図４(II)）、最終的には図４の(III)の位置まで、差込フラップ３を差し込むことによって、差し込まれた差込フラップ３，３の折曲部3b，3bの蓋板側端縁3ba，3baが、折り込まれた前方側折込片５の前板1aの上縁1aaと反対側に位置する端縁5aに係止されて封緘されるのである。
【００１９】
なお差込フラップ３，３の折曲部3b，3bの蓋板側端縁3ba，3baが、折り込まれた前方側折込片５の端縁5aに確実に係止されるために、差込フラップ３，３の折曲部3b，3bは切込み3a，3aより蓋板２と反対側が表面側に僅かに折られるようにして形成する必要がある（図４）。
【００２０】
また図４(III)の如く、前方側折込片５の幅（前方側折込片５が連設されている前板1aの上縁1aaからその上縁1aaと反対側に位置する前方側折込片５の端縁までの長さ）と、差込フラップ３が連設されている蓋板２の端縁2aから差込フラップ３の切込み3aまでの長さとが略同一であれば、封緘した際に、前板1aと差込フラップ３と前方側折込片５とがほぼ平行で順に当接した状態となるから、図４(III)のように蓋板２と前板1aとの間にほとんど隙間ができることがなくてより好ましいのである。
【００２１】
以上のように本発明に係る収納箱は、スリットを設けないことによって、隙間が生じることがなく、また差込フラップ３も従来例（図５）のような小さいものでは外部から目立つが、差込フラップ３が連設されている蓋板の端縁と同じ全長を有するものを使用することができる構造とし、更に収納体内部で差込フラップ３と対向する前方側折込片５とを収納箱内で係止させることにより、封緘した際に、収納箱が略凹凸のない綺麗な直方体となり、意匠性が損なわれることがなく、化粧箱としても十分に利用可能な収納箱とすることができるのである。
【符号の説明】
【００２２】
１  胴部
1a  前板
1aa  上縁
1b  後板
1ba  上縁
1c  側板
1ca  上縁
1d  底板
1e  開口部
２  蓋板
2a  後板の上縁と反対側に位置する端縁
３  差込フラップ
3a  切込み
3b  折曲部
3ba  蓋板側端縁
４  側方側内フラップ
4a  前板側の側縁
５  前方側折込片
5a  前板の上縁と反対側に位置する端縁
６  ミシン目
７  折り目
【図１】
2015202868.tif 000003
【図２】
2015202868.tif 000004
【図３】
2015202868.tif 000005
【図４】
2015202868.tif 000006
【図５】
2015202868.tif 000007